(57)【要約】【課題】  製品情報を記載したラベルを鶏卵包装用容器中に封入することに代えて、顧客に確実に製造年月日や賞味期限等の製品情報を提供し、且つ顧客が視認しやすいように製品情報が掲載された鶏卵包装用容器を提供する。【解決手段】  合成樹脂シートを膨出成型させて容器本体１と蓋体２を折り曲げ部３を介して一体的に成形した鶏卵包装用容器であって、容器本体１または蓋体２の長手方向に沿った鶏卵収容凹部１１又は鶏卵保護凹部２１の２個分に跨って製造年月日、賞味期限等の製品情報をプリントして使用する平坦な印刷部４を形成した。【選択図】        図１
2005082158.tif 000002
【特許請求の範囲】
【請求項１】
合成樹脂シートを膨出成型させて容器本体(1)と蓋体(2)を折り曲げ部(3)を介して一体的に成形した鶏卵包装用容器であって、容器本体(1)又は蓋体(2)の長手方向に沿った鶏卵収容凹部(11)又は鶏卵保護凹部(21)の２個分に跨って製造年月日、賞味期限等の製品情報をプリントして使用する平坦な印刷部(4)が形成されていることを特徴とする鶏卵包装用容器。
【発明の詳細な説明】
【技術分野】
【０００１】
本発明は合成樹脂製シート素材を膨出成型させて容器本体と蓋体とを折り曲げ部を介して一体的に成形した鶏卵包装用容器に関するものである。
【背景技術】
【０００２】
一般に、かかる合成樹脂製シートを膨出成型させてなる鶏卵包装用容器は周知であるが、従来、製造年月日や賞味期限等の製品情報は、これを記載したラベルを鶏卵とともに容器内に封入するという方法で顧客に提供しており、その作業は、鶏卵を容器に収容する工程中で、鶏卵を容器に収容するその日に、ラベルに製品情報を印刷し、これをバキューム吸引により、鶏卵を収容した容器内に入れて閉蓋し封止するというように行っていた。
【特許文献１】特許公報３０７９２８６号
【特許文献２】特許公報３０６６７４９号
【発明の開示】
【発明が解決しようとする課題】
【０００３】
しかしながら、前述のような製品情報を記載したラベルを容器内に封入する方法では、印刷時に印刷すべきラベルが重なってしまい重なった２枚目には印刷されない等の理由により、白紙のラベルが発生する場合があり、製品情報の記載がされていない白紙のラベルが鶏卵包装用容器中に混入し、それを購入した顧客に迷惑をかけるという事態が生じていた。
【０００４】
そこで、本発明は、かかる実情に鑑み、製品情報を記載したラベルを鶏卵包装用容器中に封入することに代えて、顧客に確実に製造年月日や賞味期限等の製品情報を提供し、且つ顧客が視認しやすいように製品情報が掲載された鶏卵包装用容器を提供するものである。
【課題を解決するための手段】
【０００５】
この課題を解決するために講じた本発明にいう鶏卵包装用容器の構成を、実施例を示す図面に使用した共通の符号を用いて説明すると、本発明の鶏卵包装用容器は、合成樹脂シートを膨出成型させて容器本体１と蓋体２を折り曲げ部３を介して一体的に成形した鶏卵包装用容器であって、容器本体１又は蓋体２の長手方向に沿った鶏卵収容凹部１１又は鶏卵保護凹部２１の２個分に跨って製造年月日、賞味期限等の製品情報をプリントして使用する平坦な印刷部４が形成されていることを特徴とする鶏卵包装用容器にかかるものである。
【発明の効果】
【０００６】
本発明の請求項に記載の鶏卵包装用容器によれば、製造年月日、賞味期限等の製品情報をプリントして使用する平坦な印刷部が形成されているという構成により、従来のように製品情報の印刷のされていないラベルが容器内に混入するということがなく、容器１つ１つに直接的に且つ確実に製品情報を載せることができるという優れた効果を奏し得る。
【０００７】
また、容器に直接プリントするという構成により、製品情報を記載するラベルや、ラベルに製品情報を記載するための設備、及びこれを容器内に封入するための設備が不要となるため、設備投資、コスト面から考えて有利なものである。
【０００８】
さらに、該平坦な印刷部が、容器本体または蓋体の長手方向に沿った鶏卵保護凹部２個分に跨って形成されるという構成により、幅方向に形成された場合に比べて、顧客が製品情報を視認し易いという優れた効果も奏し得る。
【発明を実施するための最良の形態】
【０００９】
本発明を実施するにあたって、容器本体１または蓋体２の長手方向に沿った鶏卵収容凹部１１又は鶏卵保護凹部２１の２個分に跨って形成される平坦な印刷部４の寸法は、プリントする製品情報の記載量に合わせて適宜の大きさとすればよい。また、平坦な印刷部４の位置は、長手方向であれば閉蓋状態で容器本体１又は蓋体２の正面、背面いずれに形成してもよいが、顧客がより視認しやすいように、図２に示したように、閉蓋状態で正面視して視認できる位置に設けるのが好ましい。さらに、平坦な印刷部４の形状は、実施例に示したように、略長方形状とすることの他に、台形状、楕円状等であっても良い。
【実施例】
【００１０】
以下、本発明の実施例を図示例と共に説明する。図１〜図２は本願発明の第１実施例の鶏卵包装用容器であって、図１は開蓋状態の斜視図、図２は閉蓋状態の正面図を示す。
【００１１】
該第１実施例の鶏卵包装用容器は、鶏卵が１０個収容できる鶏卵包装用容器であって、鶏卵の下半部を覆う容器本体１の鶏卵収容凹部１１と鶏卵の上半部を覆う蓋体２の鶏卵保護凹部２１がそれぞれ５列２段に成形されている。そして、容器本体１と蓋体２は折り曲げ部３を介して一体的に成形されている。図２に示したように、閉蓋状態で正面視して、蓋体２の右側から２個分の鶏卵収容凹部２１の正面側側壁には、略長方形状の平坦な印刷部４が設けられている。
【００１２】
該平坦な印刷部４の構成を詳しく説明すると、図２に示したように、略長方形状であって、平坦な印刷部４の左右方向は、鶏卵収容凹部２１を補強するためのリブ２２に左右両サイドから挟まれるような幅で形成されている。このため、平坦な印刷部４の左右方向の境界線としてリブ２２を利用しているので、平坦な印刷部４に適度な強度を保持させる事ができる。また、平坦な印刷部４の上下方向は、鶏卵収容凹部２１の開口部から第１屈曲部２３までの幅として形成されている。このため、必要な製品情報が記載できる幅でありながら、平坦な印刷部４の上下方向の境界線として鶏卵収容凹部２１の開口部の線と第１屈曲部２３の線を利用しているので、平坦な印刷部４の形成に都合が良く、且つ鶏卵包装用容器の形態の美感を損なうことがない。
【００１３】
次に、鶏卵包装用容器の製造方法であるが、第１実施例の鶏卵包装用容器は、ポリエチレンテレフタレート樹脂シートを膨出成型させて容器本体１と蓋体２を一体的に成形したものである。そして、成形された鶏卵包装用容器の平坦な印刷部４に製造年月日、賞味期限等の製品情報をジェット印刷によりプリントする。その後、鶏卵を容器内に収容し、閉蓋して封止する。なお、プリント手段としては本実施例で示したジェット印刷の他に、ゴム板印刷やローラー式の印刷手段等も用いることができ、プリントする製品情報としては他に包装年月日、製造機械の番号、生産者名等、鶏卵、容器、機械、生産者、鶏等に関する種々の情報を掲載することができる。
【００１４】
図３及び図４は、本願発明第２実施例の開蓋状態の斜視図及び同、閉蓋状態の正面図であって、前記第１実施例の容器と同様の鶏卵が１０個収容できる鶏卵包装用容器である。平坦な印刷部４は、図４に示したように、閉蓋状態で正面視して、蓋体２の右側から２つ目と３つ目の鶏卵収容凹部２１の正面側側壁に、第１実施例の容器より左右方向の幅が広くとられている。
【００１５】
図５及び図６は、本願発明第３実施例の開蓋状態の斜視図及び同、閉蓋状態の正面図であって、前記第１、第２実施例の容器と同様の鶏卵が１０個収容できる鶏卵包装用容器である。平坦な印刷部４は、図６に示したように、閉蓋状態で正面視して、容器本体１の右側から２個分の鶏卵収容凹部１１の正面側側壁に形成され、左右両サイドからリブで挟まれていない点を除けば、第１実施例の容器とほぼ同じ寸法、形状で形成されている。
【００１６】
以上本発明の代表例と思われる実施例について説明したが、本発明の鶏卵包装用容器は、上述の実施例にのみ限定されるものではなく、例えば、平坦な印刷部４の形成場所は閉蓋状態で容器本体１又は蓋体２の正面に限られず背面に形成されていても良く、また鶏卵包装用容器は１０個入りに限られず６個、８個、１２個入り等であっても良く、本発明にいう前記の構成要件を備え、かつ本発明にいう目的を達成し、本発明にいう効果を有する範囲内において適宜改変して実施することができるものである。
【産業上の利用可能性】
【００１７】
本発明の鶏卵包装用容器は、鶏卵包装用容器に直接製造年月日、賞味期限等の製品情報を記載するものであり、従来のラベルに製品情報を印刷して鶏卵とともに容器中に封入する手段より、顧客に製品情報を確実に提供できるという点において優れた発明である。
【図面の簡単な説明】
【００１８】
【図１】第１実施例における開蓋状態の斜視図。
【図２】第１実施例における閉蓋状態の正面図。
【図３】第２実施例における開蓋状態の斜視図。
【図４】第２実施例における閉蓋状態の正面図。
【図５】第３実施例における開蓋状態の斜視図。
【図６】第３実施例における閉蓋状態の正面図。
【符号の説明】
【００１９】
１  容器本体
１１  鶏卵収容凹部
２  蓋体
２１  鶏卵保護凹部
３  折り曲げ部
４  平坦な印刷部
【図１】
2005082158.tif 000003
【図２】
2005082158.tif 000004
【図３】
2005082158.tif 000005
【図４】
2005082158.tif 000006
【図５】
2005082158.tif 000007
【図６】
2005082158.tif 000008